(57)【要約】【課題】ケース内の湿度を所定範囲内に保持可能な記録媒体内蔵カートリッジ、およびカートリッジ内蔵包装体を提供する。【解決手段】本発明の記録媒体内蔵カートリッジは、ケースと、前記ケース内に収納された記録媒体と、前記ケース内に配置され、前記ケース内の湿度が第１の湿度以上になると前記ケース内の水分を吸収し、前記ケース内の湿度が前記第１の湿度よりも低い第２の湿度以下になると、前記水分を前記ケース内に放出する調湿材料を含んだ調湿部材とを含むことを特徴とする。【選択図】図２
2006294225.tif 000002
【特許請求の範囲】
【請求項１】
ケースと、
前記ケース内に収納された記録媒体と、
前記ケース内に配置され、前記ケース内の湿度が第１の湿度以上になると前記ケース内の水分を吸収し、前記ケース内の湿度が前記第１の湿度よりも低い第２の湿度以下になると、前記水分を前記ケース内に放出する調湿材料を含んだ調湿部材とを含むことを特徴とする記録媒体内蔵カートリッジ。
【請求項２】
前記記録媒体は、磁気テープである請求項１に記載の記録媒体内蔵カートリッジ。
【請求項３】
前記記録媒体内蔵カートリッジは、前記ケース内に回転自在に配置されたリールを備え、
前記磁気テープは、前記リールに巻回されている請求項１に記載の記録媒体内蔵カートリッジ。
【請求項４】
前記調湿材料は、シリカゲルＢ型、珪藻土、セピオライト、ゼオライト、石炭灰、多孔質セラミックス、木炭、および超高分子ポリエチレンからなる群から選ばれる少なくとも１種の多孔質材料である請求項１に記載の記録媒体内蔵カートリッジ。
【請求項５】
前記調湿材料は、珪藻土を含む請求項１に記載の記録媒体内蔵カートリッジ。
【請求項６】
前記調湿部材は、シート状または板状である請求項１に記載の記録媒体内蔵カートリッジ。
【請求項７】
前記調湿部材は、２層以上の層を含む積層体であり、
前記積層体の一方の最外層は、前記調湿材料を含む調湿層であり、他方の最外層は粘着層である請求項６に記載の記録媒体内蔵カートリッジ。
【請求項８】
前記調湿部材の前記ケースの主面方向の表面積は、前記調湿部材の前記ケースの厚み方向の表面積よりも大きい請求項１に記載の記録媒体内蔵カートリッジ。
【請求項９】
前記ケースは、第１容器と第２容器とを含み、
前記調湿部材は、前記第１容器の底部および前記第２容器の底部うちの少なくとも一方と前記磁気テープとの間に配置されている請求項６に記載の記録媒体内蔵カートリッジ。
【請求項１０】
前記第１の湿度は、７０％〜９０％の範囲内の所定の湿度であり、前記第２の湿度は、３０％〜５０％の範囲内の所定の湿度である請求項１に記載の記録媒体内蔵カートリッジ。
【請求項１１】
前記記録媒体内蔵カートリッジは、前記ケース内の湿度変化に応じて色調が変化するインジケータをさらに含み、
前記インジケータは、前記ケースの外側から見える請求項１に記載の記録媒体内蔵カートリッジ。
【請求項１２】
前記調湿部材は、スナップフィット方式で前記ケースに固定されている請求項１に記載の記録媒体内蔵カートリッジ。
【請求項１３】
前記調湿部材は、粉体状の前記調湿材料と、前記調湿材料が内部に収められ、前記調湿材料の粒径よりも径が小さい貫通孔を有する容器とを含む請求項１に記載の記録媒体内蔵カートリッジ。
【請求項１４】
前記リールは、前記磁気テープが巻かれ、空洞を有する軸部を含み、
前記軸部の空洞内に前記調湿部材が配置された請求項３に記載の記録媒体内蔵カートリッジ。
【請求項１５】
前記第１容器および前記第２容器のうちの少なくとも一方は凹部を有し、
前記凹部内に、前記調湿部材が収まるように配置された請求項９に記載の記録媒体内蔵カートリッジ。
【請求項１６】
前記記録媒体内蔵カートリッジの前記ケース内の湿度は、温度１０℃〜６０℃のときに、３０％を越え９０％未満の範囲内にある請求項１に記載のカートリッジ。
【請求項１７】
通気孔を有するケースと、前記ケース内に収納された記録媒体とを含む記録媒体内蔵カートリッジと、
前記記録媒体内蔵カートリッジを出し入れ可能に収納した収納ケースと、
前記記録媒体内蔵カートリッジの前記ケースの外表面に固定され、前記収納ケース内の湿度が第１の湿度以上になると前記収納ケース内の水分を吸収し、前記収納ケース内の湿度が前記第１の湿度よりも低い第２の湿度以下になると、前記水分を前記収納ケース内に放出する調湿材料を含んだ調湿部材とを含むことを特徴とするカートリッジ内蔵包装体。
【請求項１８】
前記調湿材料は、シリカゲルＢ型、珪藻土、セピオライト、ゼオライト、石炭灰、多孔質セラミックス、木炭、および超高分子ポリエチレンからなる群から選ばれる少なくとも１種の多孔質材料である請求項１７に記載のカートリッジ内蔵包装体。
【請求項１９】
前記調湿材料は、珪藻土を含む請求項１７に記載のカートリッジ内蔵包装体。
【請求項２０】
前記記録媒体内蔵カートリッジの前記ケース内の湿度は、温度１０℃〜６０℃のときに、３０％を越え９０％未満の範囲内にある請求項１７に記載のカートリッジ内蔵包装体。
【発明の詳細な説明】
【技術分野】
【０００１】
本発明は、ケース内に記録媒体が内蔵された記録媒体内蔵カートリッジに関する。また、本発明は、記録媒体内蔵カートリッジと、記録媒体内蔵カートリッジを密閉された空間に収納可能とする収納ケースとを含む、カートリッジ内蔵包装体に関する。
【背景技術】
【０００２】
磁気テープ、磁気ディスク、ＩＣメモリー等の記録媒体の特性を劣化させる重要な要因として湿度が挙げられる。これらの記録媒体がケース内に内蔵された記録媒体内蔵カートリッジを、高湿環境下で長期保存した場合、例えば、記録媒体が腐食し、または細菌類が繁殖する恐れがある。近年、一般住宅は、気密性が向上し、結露などが発生しやすい。一般消費者向けの記録媒体内蔵カートリッジは、そのような環境下で使用および保管されている。銀行等の企業向けの記録媒体内蔵カートリッジについては、一般消費者向けのものよりも、より優れた長期保管性が求められ、湿度等が管理された環境下で保管される必要がある。しかし、現実は、理想的な環境下で保管されることは少ない。
【０００３】
このような背景下で、記録媒体内蔵カートリッジ等のための防湿具が開示されている。例えば、特許文献１には、ケース内に収納されたシリカゲル等の乾燥剤と、ケースの開口部に設けられた透湿性フィルムとを備えた防湿具が開示されている。この防湿具は、例えば、記録媒体内蔵カートリッジ（例えば、ビデオテープカセット等）とほぼ同一形状をしており、記録媒体内蔵カートリッジとともに保管用ラック内に保管されることにより、記録媒体内蔵カートリッジ内の湿気を除去する。
【特許文献１】特開平７−２４２２７５号公報
【発明の開示】
【発明が解決しようとする課題】
【０００４】
しかし、記録媒体内蔵カートリッジ内が乾燥しすぎても、記録媒体の特性に悪影響が及ぶ。例えば、ケースと、ケース内に配置された磁気テープ（記録媒体）とを含むテープカートリッジでは、磁気テープに含まれる潤滑剤が蒸発するなどして、磁気テープが劣化する恐れがある。
【０００５】
本発明は、ケース内の湿度を所定範囲内に保持可能な記録媒体内蔵カートリッジを提供する。また、本発明は、記録媒体内蔵カートリッジと、記録媒体内蔵カートリッジを密閉された空間に収納可能とする収納ケースとを含み、記録媒体内蔵カートリッジのケース内の湿度を所定範囲内に保持可能なカートリッジ内蔵包装体を提供する。
【課題を解決するための手段】
【０００６】
本発明の記録媒体内蔵カートリッジは、ケースと、前記ケース内に収納された記録媒体と、前記ケース内に配置され、前記ケース内の湿度が第１の湿度以上になると前記ケース内の水分を吸収し、前記ケース内の湿度が前記第１の湿度よりも低い第２の湿度以下になると、前記水分を前記ケース内に放出する調湿材料を含んだ調湿部材を含むことを特徴とする。
【０００７】
本発明のカートリッジ内蔵包装体は、通気孔を有するケースと、前記ケース内に収納された記録媒体とを含む記録媒体内蔵カートリッジと、前記記録媒体内蔵カートリッジを出し入れ可能に収納した収納ケースと、前記記録媒体内蔵カートリッジの前記ケースの外表面に固定され、前記収納ケース内の湿度が第１の湿度以上になると前記収納ケース内の水分を吸収し、前記収納ケース内の湿度が前記第１の湿度よりも低い第２の湿度以下になると、前記水分を前記収納ケース内に放出する調湿材料を含んだ調湿部材とを含むことを特徴とする。
【発明の効果】
【０００８】
本発明では、ケース内の湿度を所定範囲内に保持可能な記録媒体内蔵カートリッジ、およびカートリッジ内蔵包装体を提供できる。
【発明を実施するための最良の形態】
【０００９】
以下、図面を用いて本発明の記録媒体内蔵カートリッジ（以下、「カートリッジ」と略する場合もある。）の一例、およびカートリッジ内蔵包装体の一例を説明する。
【００１０】
（実施形態１）
実施形態１では、本発明のカートリッジの一例として、テープカートリッジを例に挙げて説明する。
【００１１】
図１は、本実施形態のカートリッジの一例の斜視図であり、図２は、図１に示したカートリッジのＩ−Ｉ'断面図である。図３は、図１の第１容器の内部の状態を示した平面図である。
【００１２】
尚、図１および図２では、説明の都合上、第１容器２ａが第２容器２ｂの下に配置されているが、通常の使用では、第１容器２ａが第２容器２ｂよりも上となるように使用される。
【００１３】
図１に示す本実施形態のカートリッジ１は、図２に示すように、ケース２と、ケース２内に収納された磁気テープ６とを備えている。ケース２は、第１容器２ａと第２容器２ｂとが、内部空間を形成するように互いに合わされ、ビス等により締結されて形成されている。磁気テープ６は、ケース２内に回動可能に収容されたリール７に巻き付けられており、リール７から繰り出して、ケース２の開口（図示せず）からケース２外へ引き出すことが可能である。磁気テープ６の繰り出し端には、金属製の先導体（図示せず）が固定されており、テープカートリッジをドライブに装填すると、先導体は、ドライブの連結具によって捕捉される。
【００１４】
ケース２内において、リール７は、軸２７を介して作用する圧縮コイルバネ２８等のバネ状弾性体により、図２において上方に押圧付勢されている。これにより、不使用時にリール７が遊転することが防止されている。尚、第１容器２ａの底部のほぼ中央には、その外径が圧縮コイルバネ２８の内径よりも小さいガイド突起１９が設けられている。このガイド突起１９が圧縮コイルバネ２８の内腔内に挿入されることにより、圧縮コイルバネ２８の位置ずれが抑制されている。
【００１５】
リール７は、磁気テープ６が巻かれた軸部７ａと、軸部７ａに一体成形された円盤状の第１フランジ７ｂと、軸部７ａに溶着固定された第２フランジ７ｃとを有する。軸部７ａは空洞を有した略有底円筒形状をしている。軸部７ａの底部の外表面には、ドライブの駆動軸のギア（図示せず）と係合可能な係合ギア７ｄが形成されている。軸部７ａの底部の外表面は、第２容器２ｂの底部の開口部からケース２外に露出されており、この開口部からケース２内に挿入されるドライブの駆動軸の駆動ギアに、係合ギア７ｄが係合された状態で、リール７は回転する。リール７が回転すると、テープ６がリール７に巻き取られ、またはリール７から繰り出される。
【００１６】
図２に示すように、本実施形態のカートリッジ１は、ケース２内に配置された調湿部材５を備えており、調湿部材５は調湿材料を含んでいる。調湿材料は、ケース２内の湿度が第１の湿度以上になるとケース２内の水分を吸収し（「吸湿」とも言う。）、ケース２内の湿度が第１の湿度よりも低い第２の湿度以下になると、水分をケース２内に放出する（「放湿」とも言う。）性質を有している。そのため、例えば、カートリッジ１の長期保管中には、保管環境の湿度変化に伴い、調湿材料により吸湿、放湿が繰り返され、ケース２内の湿度は所定範囲内に保持される。
【００１７】
このように、本実施形態のカートリッジ１では、保管環境に湿度変化が生じても、ケース２内の湿度が所定範囲内に保持される。このため、本実施形態のカートリッジ１は、ケース２内の湿度変化に伴う磁気テープ６の劣化が抑制されており、信頼性が高い。
【００１８】
ケース２内の温度は、ケース２の保管環境の温度に左右される。ケース２の保管環境の温度範囲は、通常、１０℃〜６０℃である。この温度範囲における、ケース２内の好ましい湿度は、磁気テープ６の耐湿性等を考慮すると、３０％を越え９０％未満、さらには、４０％を越え８０％未満である。したがって、調湿材料による吸湿が起こる第１の湿度は、例えば７０％〜９０％の範囲内の所定の湿度であると好ましく、調湿材料による放湿が起こる第２の湿度は３０％〜５０％の範囲内の所定の湿度であると好ましい。さらには、第１の湿度は８０％、第２の湿度は４０％であると好ましい。ここで、上記湿度は、シンワ測定株式会社のＳＴ−４、丸型４．５ｃｍを用いて測定した値である。
【００１９】
調湿材料としては、例えば、シリカゲルＢ型（ＪＩＳ Ｚ ０７０１に規定）、珪藻土、セピオライト、ゼオライト、石炭灰、多孔質セラミックス、木炭、および超高分子ポリエチレンからなる群から選ばれる少なくとも１種の多孔質材料であると好ましい。なかでも、吸湿量が大きく、ケース２内の湿度変化に伴う、吸湿および放湿の応答性が優れた、珪藻土が好ましい。珪藻土としては、特に制限はないが、その細孔径が４ｎｍ〜２０ｎｍである稚内珪藻土が好ましい。
【００２０】
稚内珪藻土は下記成分を含む。
ＳｉＯ2                   ７９．４７％
Ａｌ2Ｏ3                  ８．６３％
Ｆｅ2Ｏ3                  １．８０％
ＴｉＯ2                   ０．３２％
ＣａＯ                    ０．２４％
ＭｇＯ                    ０．８７％
Ｎａ2Ｏ                   ０．６６％
Ｋ2Ｏ                     １．４５％
Ｐ2Ｏ2                    ０．０４％
【００２１】
シリカゲルＢ型は、高湿度雰囲気中では急激に吸湿し、低湿度雰囲気中では吸着した水分を徐々に放出する特性を有する。
【００２２】
多孔質セラミックスとしては、例えば、アルミナ、ジルコニア、窒化珪素、炭化珪素等が挙げられ、多孔質セラミックスも必要な特性を示し調湿材料としての使用に適している。
【００２３】
超高分子ポリエチレンとしては、例えば、細孔径が１０ｎｍ以下の多孔質構造を有するものが好ましい。
【００２４】
調湿部材５を構成する調湿材料の使用量について特に制限はなく、カートリッジ１のケース２内の容積、および調湿材料の吸湿性能・放湿性能等を考慮して適宜決定すればよい。例えば、ケース２内の容積が２００ｃｍ3〜８００ｃｍ3である場合、調湿部材５の調湿に有効な表面の面積は、２０ｃｍ2〜２００ｃｍ2であると好ましい。この場合に、調湿材料として稚内珪藻土を用いるのであれば、調湿部材５は、珪藻土を８０〜１００体積％含んでいると好ましい。
【００２５】
この稚内珪藻土は、温度１０℃のとき、湿度８０％程度で吸湿率が急激に増大し、高湿度で高い吸湿率をもつ。よって、収納ケース１０内の湿度が８０％以上になると吸湿作用を示し、４０％以下となると放湿作用を示す。また、温度６０℃でも同様に、収納ケース１０内の湿度が８０％以上になると吸湿作用を示し、４０％以下となると放湿作用を示す。温度によって大気中の水分含有量は変化するが、調湿材料の吸放出性能そのものは変化しない。このような珪藻土を調湿材料として含む調湿部材を用いれば、収納ケース１０内およびカートリッジ１のケース２内の湿度を、温度が１０℃〜６０℃のときに、４０％を越え８０％未満の範囲内に保つことができる。
【００２６】
調湿部材５は、その形状について特に制限はないが、調湿に有効な表面積が大きければ大きいほど好ましい。例えば、表面積を確保し易い、シート状、または板状であると好ましい。シート状または板状の調湿部材５は、狭い空間に設置可能である点においても好ましい。また、図２および図３に示した例のように、調湿部材５は、外径が、リール７とリール７に巻回された磁気テープ６とを含む巻回体８の外径と等しいか、それより大きい円盤状であると好ましい。
【００２７】
シート状の調湿部材５としては、例えば、図４に示すように、両主面に粘着層３１が設けられた基材３０と、一方の粘着層３１上に形成され、粉末状の上記調湿材料５００を含む調湿層３２とを備えた積層体が挙げられる。このように、調湿部材５が２層以上の層を含む積層体であり、積層体の一方の最外層が調湿材料を含む調湿層３２であり、他方の最外層が粘着層３１であると、調湿部材５のケース２への固定が容易であり、好ましい。基材３０としては、例えば、樹脂フィルムが、粘着層３１の材料としては、例えば、アクリル系粘着剤等が用いられる。調湿層３２は、調湿材料５００の他に、例えば、必要に応じてバインダ等を含んでいてもよい。
【００２８】
また、シート状の調湿部材５としては、例えば、図５に示すように、不織布３４内に、粉末状の上記調湿材料５００が含浸されたシート状物を用いてもよい。上記シート状物は、例えば、粉末状の調湿材料５００が分散された分散媒中に不織布３４を浸漬し、調湿材料５００を繊維間の隙間に入り込ませることにより得られる。
【００２９】
板状の調湿部材５としては、例えば、粉末状の上記調湿材料をガス等により圧縮成形して得た成形体を用いることができる。成形体の一方の主面に樹脂を含むラミネート層が設けられて、成形体は高強度化されていてもよい。また、調湿部材５は、調湿材料５００の他に、例えば、必要に応じてバインダ等を含んでいてもよい。バインダとしては、例えば、エポキシ樹脂等が用いられる。
【００３０】
カートリッジ１内における調湿部材５の配置位置について、特に制限はないが、例えば、第１容器２ａの底部および第２容器２ｂの底部のうちのいずれか一方と磁気テープ６との間に配置されていると好ましい。図２に示した例では、調湿部材５は、第１容器２ａの底部と磁気テープ６との間、および第２容器２ｂの底部と磁気テープ６との間に配置されている。よって、調湿部材５の平面方向（径方向）は、テープの幅方向と直交しており、リール７とリール７に巻回された磁気テープ６とを含む巻回体８は、１対の調湿部材５によって挟まれている。このように、調湿部材５が、第１容器２ａの底部および第２容器２ｂの底部のうちの少なくとも一方と、磁気テープ６との間に配置されていると、ケース２内の湿度が、均一性よく所定範囲内に保持される。
【００３１】
尚、第１容器２ａの底部および第２容器２ｂの底部のうちの少なくとも一方と磁気テープ６との間に配置された調湿部材５が、シート状または板状であると、調湿部材５のケース２の主面方向（巻回体８の径方向と同方向）の表面積（調湿に有効な表面積）は、調湿部材５のケースの厚み方向の表面積（調湿に有効な表面積）よりも大きくなる。
【００３２】
調湿部材５のケース２への固定方法について、特に制限はないが、例えば、接着剤による接着、超音波溶着等が挙げられる。調湿部材５のケース２に接する面は、その全面がケースに接着等される必要はなく、図３に示すように、調湿部材５のケース（この例では、第１容器２ａの底部）に対向する面の一部５１が、ケース２と接着等されていてもよい。
【００３３】
ケース２の材料について特に制限はなく、従来からケース２の材料として公知のものであってもよい。例えば、ポリカーボネイト（ＰＣ）、アクリロニトリル−ブタジエン−スチレン共重合体（ＡＢＳ）、ポリスチレン（ＰＳ）、ＰＣとＡＢＳのポリマーブレンド等の樹脂が好ましい。
【００３４】
本実施形態のカートリッジ１は、ケース２内の湿度変化に応じて色調が変化するインジケータ（図示せず）を備えていてもよい。この場合、インジケータは、ケース２の外側から見ることができると好ましい。このように、カートリッジ１がインジケータを備えていると、保管状態が適切か否かをケース２外から確認できる。
【００３５】
インジケータについては特に制限はなく、例えば、市販品を用いてもよい。市販品としては、例えば、ピアテック有限会社の簡易湿度インジケーターカード等が用いられる。
【００３６】
ケース２には、インジケータを視認するための窓が設けられていてもよいし、ケース２の一部または全体を透明性の高い材料で形成して、ケース２外からインジケータを視識可能としてもよい。
【００３７】
図６および図７に、本実施形態のカートリッジ１の他の例の第１容器２ａの内部を示している。尚、図６および図７において、調湿部材５にはハッチングをしている。図６に示すように、板状の調湿部材５は、例えば、第１容器２ａ内のコーナーや、コーナー近傍に配置されていてもよい。具体的には、第１容器２ａを構成する側壁の内面に調湿部材５が接着等されていてもよい。また、図７に示すように、シート状の調湿部材５は、巻回体８（図２参照）の外周の近傍または内周の近傍において、巻回体に接することなく配置されていてもよい。具体的には、第１容器２ａの底部内面からほぼ垂直に立設され、巻回体の外周近傍に配置された巻回体位置規制壁２１ａの巻回体側面に、調湿部材５が貼り付けられていてもよい。また、第１容器２ａの底部内面からほぼ垂直に立設され、巻回体の内周近傍に配置された環状壁２１ｂの巻回体側面に、調湿部材５が貼り付けられていてもよい。調湿部材は複数の場所に貼り付けられていてもよい。このように、調湿部材５は、巻回体８の近傍であって、巻回体８の回転を妨げない位置であれば、いずれの場所に配置されていてもよい。
【００３８】
落下等によりカートリッジ１に衝撃が加わると、その衝撃によりリールが変形し、最悪の場合はテープ６が変形してしまう。巻回体の外周の近傍や、巻回体の内周の近傍に配置された調湿部材５に、衝撃吸収機能をもたせれば、図７に示した例では、カートリッジ１の耐衝撃性を向上させることもできる。
【００３９】
図２に示した例では、リール７は、第１フランジ７ｂおよび第２フランジ７ｃを備えているが、本実施形態のカートリッジにおいて、これらの少なくとも一方は無くてもよい。
【００４０】
軸部７ａ、第１フランジ７ｂ、および第２フランジ７ｃのうちの少なくとも１つ、より好ましくは、第１フランジ７ｂおよび第２フランジ７ａの双方に、これらの厚み方向に貫通する貫通孔が形成されていていると好ましい。上記貫通孔が形成されていると、ケース２内の空気の循環がよくなり、調湿部材５による調湿効果の均一性が向上する。
【００４１】
（実施形態２）
実施形態２では、本発明のカートリッジの他の例として、テープカートリッジを例に挙げて説明する。
【００４２】
図８は、本実施形態のカートリッジの一例の断面図であり。図９（Ａ）は本実施形態のカートリッジを構成する調湿部材の平面図、図９（Ｂ）は図９（Ａ）に示した調湿部材の側面図である。
【００４３】
図８〜図９に示すように、カートリッジ１は、下記（１）〜（３）以外は、実施形態１のカートリッジと同様の構成をしており、同様の効果を有する。材料についても同様のものが用いられる。
【００４４】
（１）本実施形態のカートリッジ１では、調湿部材５２の形状が、大径部５２ａと小径部５２ｂとを有する中空円筒状である。調湿部材５２は、大径部５２ａと小径部５２ｂとを有することによって、段差面５２ｃも有している。このような調湿部材５２は、例えば、シート状の調湿部材よりも扱い易く、破れ等の恐れが少ない。調湿部材５２の内径は、圧縮コイルバネ２８の外径より大きく、調湿部材５２の内腔内には、圧縮コイルバネ２８が挿入されている。また、リール７のケース２内における上下動を阻害しないよう、調湿部材５２の内径は、圧縮コイルバネ２８の一方の端部を受け止める軸２７の座板２７ａの外径よりも大きい。
【００４５】
（２）本実施形態のカートリッジ１では、ケース２がスナップフィット部２ｃを備えている。スナップフィット部２ｃは、例えば、第１容器２ａの底部内面からほぼ垂直に立設された環状壁２１ｂの先端に設けられた鉤部である。この鉤部を乗り越えて、調湿部材５２の大径部５２ａを環状壁２１ｂの内側に嵌め込むことにより、調湿部材５２をケース２に固定することができる。このように、スナップフィット部２ｃを用いたスナップフィット方式により調湿部材５２をケース２に固定すれば、カートリッジ１の組立作業性が良くなる。
【００４６】
（３）本実施形態のカートリッジ１では、調湿部材５２が、リール７の動作に干渉しないように、リール７の軸部７ａの空洞内に配置されている。軸部７ａの空洞内には比較的広いデッドスペースが存在するので、軸部７ａの空洞内に調湿部材５２を配置すれば、カートリッジ１の他の構成部材の形状、または配置位置等を変更することなく、調湿部材５２をケース２内に設けることができる。また、本実施形態のカートリッジ１を構成する調湿部材５２は容積が大きいので、吸湿・放湿性能が優れている。調湿部材５２は、例えば、粉末状の調湿材料をガス等により圧縮成形等して得ることができる。
【００４７】
（実施形態３）
実施形態３では、本発明のカートリッジの更に別の例を、テープカートリッジを例に挙げて説明する。
【００４８】
図１０は、本実施形態のカートリッジの断面図である。図１１（Ａ）は本実施形態のカートリッジを構成する調湿部材の平面図、図１１（Ｂ）は図１１（Ａ）に示した調湿部材の側面図、図１１（Ｃ）は図１１（Ａ）に示した調湿部材のII−II'断面図である。
【００４９】
本実施形態のカートリッジ１では、調湿部材として、粉体状の調湿材料５００と、調湿材料５００が内部に納められた容器９とからなる調湿部材５３が用いられている。容器９は、調湿材料５００の粒径よりも径が小さい貫通孔９ａを有するので、調湿材料５００によるケース２内の水分の吸収および放出が可能であると伴に、調湿材料５００の飛散が抑制されている。
【００５０】
図１１に示した調湿部材５３では、粉体状の調湿材料を用いているので、吸湿および放湿に有効な表面積を多く確保できる。
【００５１】
容器９は、熱可塑性樹脂や熱硬化製樹脂等からなる形状安定性の良い容器であってもよいし、不織布等からなる袋状のものでもよい。
【００５２】
調湿部材５３の固定方法について特に制限はなく、例えば、実施形態１と同様に、接着剤による接着、超音波溶着等の固定方法を採用してもよいし、実施形態２において説明したスナップフィット方式を採用してもよい。
【００５３】
本実施形態のカートリッジ１は、以上のこと以外は、実施形態２のカートリッジと同様の構成をしており、同様の効果を有する。材料についても同様のものを用いればよい。
【００５４】
（実施形態４）
実施形態４では、本発明のカートリッジの他の例を、テープカートリッジを例に挙げて説明する。
【００５５】
図１２は、本実施形態のカートリッジの断面図である。
【００５６】
本実施形態のカートリッジ１では、調湿部材５４が、第１容器２ａの底部および第２容器２ｂの底部のそれぞれに形成された凹部（凹面または窪み）２ｄ内に収まるように配置されている。調湿部材５４の巻回体に対向する面５４ａと、ケース２の内面のうちの調湿部材５４に隣接する面２ｅは、ほぼ同一平面内にある。調湿部材５４は、実施形態１のカートリッジを構成する調湿部材と同様に、シート状または板状である。
【００５７】
調湿部材５４が、第１容器２ａの底部および第２容器２ｂの底部のうちの少なくとも一方が有する凹部２ｄ内に収まるように配置されていると、カートリッジ１の他の構成部材の形状や配置位置等を変更することなく、調湿部材５４をケース２内に設けることができる。そのため、本実施形態のカートリッジ１は、ケース２の厚みが薄い場合に、特に適している。
【００５８】
調湿部材５４は、例えば、調湿部材５４を第１容器２ａまたは第２容器２ｂを成形するための金型内に配置した後、第１容器２ａまたは第２容器２ｂをインサート成形法等の方法により成形することにより、第１容器２ａまたは第２容器２ｂに固定できる。もちろん、調湿部材５４のケース２への固定方法はこれに制限されず、接着剤による接着、超音波溶着等であってもよい。
【００５９】
本実施形態のカートリッジ１は、以上のこと以外は、実施形態１のカートリッジと同様の構成をしており、同様の効果を有する。材料についても同様のものを用いればよい。
【００６０】
（実施形態５）
実施形態５では、本発明のカートリッジ内蔵包装体の一例を説明する。
【００６１】
図１３は、本実施形態のカートリッジ内蔵包装体を構成するカートリッジの一例の斜視図である。図１４は、本実施形態のカートリッジ内蔵包装体の一例であって、収納ケースを開けた状態を示した部分断面図である。図１５は、本実施形態のカートリッジ内蔵包装体の一例であって、収納ケースを閉じた状態を示した部分断面図である。
【００６２】
図１４および図１５に示すように、本実施形態のカートリッジ内蔵包装体１１は、カートリッジ１と、収納ケース１０とを含んでいる。収納ケース１０は、カートリッジ１を出し入れ可能とし、カートリッジを密閉された空間に収納可能である。図１３に示すように、カートリッジ１は、ケース２と、ケース２内に収納された磁気テープ（図示せず）とを備えている。カートリッジ１は、ケース２の外表面に固定された調湿部材５５を備えている。また、ケース２には、ケース２の内外を連通させる通気孔２１が形成されている。通気孔２１は、例えば、ドライブとの嵌合、またはドライブによる識別等の目的で設けられたものであってもよいし、それらとは別に設けられたものであってもよい。
【００６３】
調湿部材５５は、ケース２に貼り付けられ、ケース２側の面の反対面に調湿材料を含んでいる。
【００６４】
上記調湿材料は、カートリッジ１が収納ケース１０内に収められ、収納ケース１０が閉じられた状態で、収納ケース１０内の湿度が第１の湿度以上になると収納ケース１０内の水分を吸収する。収納ケース１０内の湿度が第１の湿度よりも低い第２の湿度以下になると、水分を収納ケース内１０に放出する。第１の湿度および第２の湿度の好ましい値は、実施形態１における第１の湿度および第２の湿度と同様である。
【００６５】
カートリッジ１のケース２にはケース２の内外を連通させる通気孔２１が形成されているので、ケース２内外の空気の行き来は通気孔２１を介して行われる。したがって、収納ケース１０内に収められた状態でカートリッジ１を保管すると、カートリッジ１内の湿度は、収納ケース１０内の湿度に近づき、最終的には等しくなる。
【００６６】
そのため、保管環境の湿度変化に伴い、収納ケース１０内、または収納ケース１０内およびカートリッジ１内の湿度が変化すると、調湿部材５５により、吸湿または放湿が行われ、収納ケース１０内およびケース２内の湿度は、常に、所定範囲内に保持されることとなる。
【００６７】
このように、本実施形態のカートリッジ内蔵包装体１１では、ケース２内の湿度が所定範囲内に保持される。よって、本実施形態のカートリッジ内蔵包装体１１は、ケース２内の湿度変化に伴う磁気テープの劣化が抑制されており、信頼性が高い。
【００６８】
本実施形態のカートリッジ内蔵包装体１１に用いられる調湿部材５５の材料については、実施形態１で説明した調湿部材と同様のものを用いればよい。
【００６９】
調湿部材５５を構成する調湿材料の使用量について特に制限はなく、収納ケース１０内の容積、カートリッジ１のケース２内の容積、および調湿材料の吸湿性能・放湿性能等を考慮して適宜決定すればよい。例えば、収納ケース１０内の容積が３００ｃｍ3〜９００ｃｍ3であり、ケース２内の容積が２００ｃｍ3〜８００ｃｍ3である場合、調湿部材５５の調湿に有効な表面の面積は、２０ｃｍ2〜２００ｃｍ2であると好ましい。この場合に、調湿材料として稚内珪藻土を用いるのであれば、調湿部材５５は、稚内珪藻土を８０〜１００体積％含んでいると好ましい。
【００７０】
この稚内珪藻土は、温度１０℃のとき、湿度８０％程度で吸湿率が急激に増大し、高湿度で高い吸湿率をもつ。よって、収納ケース１０内の湿度が８０％以上になると吸湿作用を示し、４０％以下となると放湿作用を示す。また、温度６０℃でも同様に、収納ケース１０内の湿度が８０％以上になると吸湿作用を示し、４０％以下となると放湿作用を示す。温度によって大気中の水分含有量は変化するが、調湿材料の吸放出性能そのものは変化しない。このような珪藻土を調湿材料として含む調湿部材を用いれば、収納ケース１０内およびカートリッジ１のケース２内の湿度を、温度が１０℃〜６０℃のときに、４０％を越え８０％未満の範囲内に保つことができる。
【００７１】
調湿部材５５は、その形状について特に制限はないが、調湿に有効な表面積が大きければ大きいほど好ましい。例えば、表面積を確保し易い、シート状、または板状であると好ましい。シート状または板状の調湿部材５５は、狭い空間に設置可能である点においても好ましい。図１３に示すように、調湿部材５５は、その平面形状が四角形であるが、これに制限されず、円形、多角形等のいずれの形状であってもよい。
【００７２】
調湿部材５５のケース２への固定方法についても、実施形態１と同様に、例えば、接着剤による接着、超音波溶着等を採用すればよい。
【００７３】
図１３に示した例では、ケース２の外表面には凹部２ｆが形成されており、この凹部２ｆ内に調湿部材５５が収まるように配置されているので、収納ケース１０の形状等を変更することなく、調湿部材５５をケース２内に設けることができる。
【００７４】
図１３に示した例では、通気孔２１はケースに２箇所形成されているが、通気孔２１の数について特に制限はない。通気孔２１の数は、１つであってもよいし、３つ以上であってもよい。
【００７５】
図１４に示すように、収納ケース１０の収納部１２は、平面形状が、被収納物としてのカートリッジ１よりも若干大きい四角形状の底面板１２１と、この底面板１２１に立設された複数の側壁１２２とを有している。収納部１２は、例えば、カートリッジ１がほぼ収まるように形成されている。
【００７６】
収納ケース１０は、収納部１２に対して蓋部１３を開閉可能に結合するヒンジ部１４を備えている。収納ケース１０は、収納部１２に蓋部１３を重ねあわせた状態にすると、係合溝１３ａと係合突起１２ａとが係合するとともに、係合突起１３ｂが収納部１２の底面に係合する。これにより収納ケース１０は閉じられた状態に維持される。
【００７７】
収納ケース１０の材料について特に制限はなく、従来から収納ケース１０の材料として公知のものであってよい。例えば、ポリプロピレン（ＰＰ）、ポリスチレン（ＰＳ）、ポリエチレン（ＰＥ）、アクリロニトリル−ブタジエン−スチレン共重合体（ＡＢＳ）等の樹脂が好ましい。
【００７８】
実施形態１〜５では、記録媒体が磁気テープである場合を例に挙げて説明したが、本発明において記録媒体は、磁気テープに限定されない。記録媒体は、例えば、磁気ディスク、またはＩＣメモリー等であってもよい。
【００７９】
また、実施形態１〜５では、ケース２は、いずれも、ポリカーボネイト等の樹脂を用いて成形されているが、シリカゲルＢ型、珪藻土、セピオライト、ゼオライト、石炭灰、多孔質セラミックス、木炭、および超高分子ポリエチレンからなる群から選ばれる少なくとも１種の調湿材料が添加された樹脂を用いて成形されていてもよい。あるいは、調湿材料を含む塗料がケース２に塗布されていてもよい。１種以上の調湿材料が用いられる場合、それらは混合されていてもよいし、分けられていてもよい。
【産業上の利用可能性】
【００８０】
本発明は、カートリッジのケース内の湿度を所定範囲内に保持可能であるので、例えば、磁気テープ、磁気ディスク、ＩＣメモリー等の記録媒体を備えた記録媒体カートリッジの分野において有用である。
【図面の簡単な説明】
【００８１】
【図１】図１は、実施形態１の記録媒体内蔵カートリッジの一例の斜視図である。
【図２】図２は、図１に示した記録媒体内蔵カートリッジのＩ−Ｉ'断面図である。
【図３】図３は、図１の第１容器の内部の状態を示した平面図である。
【図４】図４は、調湿部材の一例を示した断面図である。
【図５】図５は、調湿部材の他の一例を示した断面図である。
【図６】図６は、実施形態１の記録媒体内蔵カートリッジの他の例の第１容器の内部の状態を示した平面図である。
【図７】図７は、実施形態１の記録媒体内蔵カートリッジのさらに別の例の第１容器の内部の状態を示した平面図である。
【図８】図８は、実施形態２の記録媒体内蔵カートリッジの一例の断面図である。
【図９】（Ａ）は図８に示した記録媒体内蔵カートリッジを構成する調湿部材の平面図、（Ｂ）は（Ａ）に示した調湿部材の側面図である。
【図１０】図１０は、実施形態３の記録媒体内蔵カートリッジの一例の断面図である。
【図１１】（Ａ）は図１０に示した記録媒体内蔵カートリッジを構成する調湿部材の平面図、（Ｂ）は（Ａ）に示した調湿部材の側面図、（Ｃ）は（Ａ）に示した調湿部材のII−II'断面図である。
【図１２】図１２は、実施形態４の記録媒体内蔵カートリッジ一例の断面図である。
【図１３】図１３は、実施形態５のカートリッジ内蔵包装体を構成する記録媒体内蔵カートリッジの一例の斜視図である。
【図１４】図１４は、実施形態５のカートリッジ内蔵包装体の一例であって、収納ケースを開けた状態を示した部分断面図である。
【図１５】図１５は、本実施形態５のカートリッジ内蔵包装体の一例であって、収納ケースを閉じた状態を示した部分断面図である。
【符号の説明】
【００８２】
１      カートリッジ
２      ケース
２ａ    第１容器
２ｂ    第２容器
２ｄ    凹部
５,５２，５３，５４，５５  調湿部材
６      磁気テープ
７      リール
７ａ    軸部
７ｂ    第１フランジ
７ｃ    第２フランジ
８      巻回体
９      容器
９ａ    貫通孔
１０    収納ケース
１１    カートリッジ内蔵包装体
５００  調湿材料
【図１】
2006294225.tif 000003
【図２】
2006294225.tif 000004
【図３】
2006294225.tif 000005
【図４】
2006294225.tif 000006
【図５】
2006294225.tif 000007
【図６】
2006294225.tif 000008
【図７】
2006294225.tif 000009
【図８】
2006294225.tif 000010
【図９】
2006294225.tif 000011
【図１０】
2006294225.tif 000012
【図１１】
2006294225.tif 000013
【図１２】
2006294225.tif 000014
【図１３】
2006294225.tif 000015
【図１４】
2006294225.tif 000016
【図１５】
2006294225.tif 000017